(57)【要約】      （修正有）【課題】複数の導子を持ち導子間を切換え自在とする低周波治療器において、使用者に治療部位を分かり易く知らせる。【解決手段】低周波治療器は、複数の導子対と、各導子間を自在に切換え、これら導子間に電圧極性を任意に切り換えて印加する極性切換回路と、各導子間に流れる電流の通電状態を表示する表示部とを備える。表示部は、各導子を擬似的に示す導子部の導子パターン３１ｐ、３２ｐ、４１ｐ、４２ｐと、実際に電流の流れている導子間の箇所を示す通電パターン部６０の通電パターン６１〜６６とを備え、通電時に各パターンを点灯する。これにより、複数の導子間に流れる電流箇所が視覚的に分かり易くなるので、使用者が治療効果をより実感し易くなる。特に、電流を流す対となる導子が決まった相手ではなく、自在に切替えられる場合は、より表示による認識効果が上がる。【選択図】図３
2007313102.tif 000002
【特許請求の範囲】
【請求項１】
複数の人体の治療部位に接触させられる導子と、これら導子間に電圧極性を任意に切り換えて印加する電圧印加手段と、を備え、導子間を通じて人体に電流を流す箇所を切り換え自在とした低周波治療器において、
前記導子間に流れる電流の通電状態を表示する表示部を備え、
前記表示部は、前記各導子を擬似的に示す導子パターンと、実際に電流の流れている導子間の箇所を示す通電パターンとを表示することを特徴とする低周波治療器。
【請求項２】
前記表示部の通電パターンは、前記各導子間に流れる電流の向きを表示することを特徴とする請求項１記載の低周波治療器。
【請求項３】
前記表示部に表示された各導子パターンと前記導子とは、１対１に対応できるよう識別されていることを特徴とする請求項１記載の低周波治療器。
【請求項４】
前記表示部は、前記各導子パターンと通電パターンとが表示された表示画面の背景に、人体の治療部位に対応した形状を表示することを特徴とする請求項１記載の低周波治療器。
【請求項５】
前記表示部は、人体の全身及び、それとの相関をもって治療部位を拡大して表示することを特徴とする請求項４記載の低周波治療器。
【請求項６】
前記表示部は、治療開始前には少なくとも全身を表示すると共に、その中の治療部位を表示し、治療開始後にはさらに電流の流れを表示することを特徴とする請求項５記載の低周波治療器。
【発明の詳細な説明】
【技術分野】
【０００１】
本発明は、人体に電気的な刺激を与え、凝り、痛み、こり等の治療を行う低周波治療器に関する。
【背景技術】
【０００２】
最近では、肩凝りなどの治療のために人体の治療部位に低周波パルス電圧を印加して治療を行なう低周波治療器が提供されている。この低周波治療器は、人体の所望の部位に粘着パッドを介して貼り付けた導子プラグ（接続部）から低周波電気パルスを送り込むことで、例えば揉みやほぐし等の各種治療方法と類似の刺激を与えて治療を行うものである。また、低周波治療器では、導子コードを介して導子プラグと接続された本体に、低周波電流パルスの発生と制御を行うための回路や、各種運転モードを選択して表示するための操作部が備えられている。
【０００３】
従来におけるこのような低周波治療器において、複数の導子を用いて出力箇所を切り替えながら治療するものや、電流を流している導子間の箇所を表示する機能を有しているものがある。例えば、特許文献１に示されるように、複数の導子間に選択的に低周波パルスを出力し、選択された導子間を流れる電流を検出し、治療開始前の絶対不応期間に電流が通電し難い部位に装着されていると判断された導子間に対しては、治療時に、その電極板対への低周波パルスの出力を停止し、停止された導子間がどれであるかを表示し、この表示において複数の通電される導子対をチャンネル（ＣＨ）とし、これらのチャンネル毎に通電されているか否かをランプの点灯で表す多電極低周波治療器が知られている。
【０００４】
しかし、この従来例おいては、導子間で通電しているか否かをチャンネル別に表示するだけなので、どのチャンネルの導子をどこの治療部位に貼り付けているかが分かり難く、治療部位を確認するには、治療器本体から出る導子コードを手繰って人体の導子の貼り付け位置を見付けなければならないという問題があった。特に、電流を流す導子間を決められた導子組間ではなく、各導子を個別に切り替えて流す場合には、電圧を印加する導子間の組み合わせが増大すると共に、電流の流れる方向も様々となるので、チャンネル表示では表示しきれなかった。
【特許文献１】特開平１１−１２８３７０号公報
【発明の開示】
【発明が解決しようとする課題】
【０００５】
本発明は、上記問題を解決するためになされたものであり、複数の導子を使用して治療する場合における治療部位をより分かり易く使用者に知らせることができる低周波治療器を提供することを目的とする。
【課題を解決するための手段】
【０００６】
上記目的を達成するために請求項１の発明は、複数の人体の治療部位に接触させられる導子と、これら導子間に電圧極性を任意に切り換えて印加する電圧印加手段と、を備え、導子間を通じて人体に電流を流す箇所を切り換え自在とした低周波治療器において、前記導子間に流れる電流の通電状態を表示する表示部を備え、前記表示部は、前記各導子を擬似的に示す導子パターンと、実際に電流の流れている導子間の箇所を示す通電パターンとを表示するものである。
【０００７】
請求項２の発明は、請求項１に記載の低周波治療器において、前記表示部の通電パターンは、前記各導子間に流れる電流の向きを表示することを特徴とするものである。
【０００８】
請求項３の発明は、請求項１に記載の低周波治療器において、前記表示部の通電パターンは、前記各導子間に流れる電流の向きを表示するものである。
【０００９】
請求項４の発明は、請求項１に記載の低周波治療器において、前記表示部に表示された各導子パターンと前記導子とは、１対１に対応できるよう識別されているものである。
【００１０】
請求項５の発明は、請求項４に記載の低周波治療器において、前記表示部は、人体の全身及び、それとの相関をもって治療部位を拡大して表示するものである。
【００１１】
請求項６の発明は、請求項５に記載の低周波治療器において、前記表示部は、治療開始前には少なくとも全身を表示すると共に、その中の治療部位を表示し、治療開始後にはさらに電流の流れを表示するものである。
【発明の効果】
【００１２】
請求項１の発明によれば、複数の導子間に流れる電流箇所が視覚的に分かり易くなるので、使用者が治療効果をより実感し易くなる。特に、電流を流す対となる導子が決まった相手ではなく、自在に切替えられる場合は、より表示による認識効果が上がる。また、治療の設定（強さ、治療パターンなど）を変える場合にも調整が簡単になる。
【００１３】
請求項２の発明によれば、複数の導子間に流す電流の向きが視覚的に分かり易くなるので、電流が流れ込む側の導子に痛みの鎮静効果があると言われており、より刺激を感じることから、治療時の刺激を実感し易く、有効な治療効果が得られる。
【００１４】
請求項３の発明によれば、実際の導子と表示部の導子とをそれぞれ１対１に対応して識別できるので、治療前にどの導子をどの部位に貼り付けるか、治療時にどこに電流が流れているかをより識別し易くなる。
【００１５】
請求項４の発明によれば、治療部位と、この治療部位に対応した導子パターン及び通電パターンとを同時に表示するので、選択している人体の治療部位の位置を視覚的により分かり易くできる。また、表示部の限られた表示面積において、治療部位は各パターンと同一画面上に重畳する形で大きく表示できるので、治療部位がより分かり易くなる。
【００１６】
請求項５の発明によれば、全身表示における治療部位と拡大表示の治療部位との両方を目視することができるので、実際の治療位置を視覚的により分かり易くできる。
【００１７】
請求項６の発明によれば、治療開始前に選択した治療部位が視覚的に認識でき導子の貼り付け位置をより明確にできる。また、治療開始後に電流の流れを表示することで実際に治療開始したことを視覚的に認識できる。
【発明を実施するための最良の形態】
【００１８】
本発明の第１の実施形態に係る低周波治療器について図面を参照して説明する。図１は、本実施形態の低周波治療器１０の外観を示し、図２は、同治療器１０のブロック構成を、図３は、同治療器１０の表示部を示す。低周波治療器１０は、本体１と、複数の導子を有する導子部２とを備える。本体１の上面には、この低周波治療器１０を操作する操作部１ａと、操作内容を表示する表示部５とを備える。また、本体１は、本体１全体を制御するＣＰＵ８と、導子部２に印加する低周波パルス電圧を発生する低周波パルス発生回路１１と、この低周波パルス発生回路１１からの低周波パルス電圧を波形整形する波形整形回路１２と、この波形整形回路１２で波形整形された低周波パルス電圧を複数の導子に電圧極性を任意に切り換えて印加する極性切換回路１３（電圧印加手段）と、低周波パルス電圧が印加された導子部２に流れる電流を検出すると共に人体への接続を検知する人体検知回路１４と、各回路に電源を供給する電源回路１５とを備える。
【００１９】
導子部２は、紙面に向かって左側（Ａ側）の導子対３（導子）と、右側（Ｂ側）導子対４（導子）を有し、これら導子対３、導子対４は、それぞれ電極を有する導子３１、３２及び導子４１、４２の各２個づつの導子を備える。また、これらの導子３１、３２及び導子４１、４２は、これら導子と本体１とを接続する導子コード３５、４５と、これら導子コード３５、４５を各導子に接続する導子接続端子部３４、４４とをそれぞれ有する。また、各導子３１、３２及び導子４１、４２は、導子コード３５、４５により、それぞれ低周波出力を行う本体１の極性切換回路１３に接続されている。そして、これらの導子３１、３２、４１、４２を人体に装着した状態でこれらの導子間に低周波パルス電流を流すことにより、治療が行われる。
【００２０】
また、操作部１ａは、治療部位を選択する自動コース選択スイッチ１６と、たたきや、押し等のお好みの動作を選択するお好み動作選択スイッチ１７と、この選択した動作の強さを調整する強さ調整ツマミ１８、導子部２の各導子３１、３２、４１、４２への出力範囲を切り替える治療範囲選択スイッチ１９、治療開始（低周波出力開始）するための治療開始スイッチ２０、及び電源回路１５のスイッチをオン／オフする電源スイッチ２１、および左右（Ａ側とＢ側）の強さバランスを調節するための強さバランス調節ツマミ２２とを有する。さらに、操作部１ａは、操作ナビ表示部９を備え、この操作ナビ表示部９は、『コースを選択（自動／お好み）』を表示する文字表示部９ａと、導子部２のパッド貼付け指示を表示する文字表示部９ｂ等を有し、ユーザはこの操作ナビに従って電源オン後から低周波出力までの手順を簡単に操作することができる。
【００２１】
また、本体１のＣＰＵ８は、操作部１ａにおける上記各スイッチ及びツマミの設定等による操作入力により、各回路を制御する制御信号を発生する。そして、これらの制御信号に基づき波形整形回路１２は、予めＣＰＵ８に組み込まれた所定の波形形成のプログラミングにより低周波パルス電圧信号を波形整形する。この波形整形された低周波出力は、極性切換回路１３で極性が切り替えられて導子部２の各導子に印加される。そして、導子部２に流れた電流は、人体検知回路１４で検出され、人体に電流が流れたかどうかが検知される。また、導子部２への出力の切り換えは、治療範囲選択スイッチ１９により、『広範囲⇔部分』（広範囲と部分とを繰り返す）、『広範囲』、『部分』の３種類に切り換えることができ、これらは予めプログラミングされた内容を切り換えて行う。
【００２２】
表示部５は、液晶ディスプレイ（以下、ＬＣＤという）を用いた電流の流れを示す通電表示部６と、全身への導子対３、４を貼り付ける治療部位を表示する全身表示部７とを備え、表示のために点灯する複数のＬＣＤセグメントで構成される。この表示部５は、操作部１ａによる自動コース選択スイッチ１６等の各入力や低周波電流等の出力の状態により、予めプログラミングされた内容でＬＥＤセグメントを切り換えて各操作の設定状態を表示する。
【００２３】
上記通電表示部６は、図３に示すように、導子対３、４に対応する導子対パターン３ｐ、４ｐを有する導子パターン部２ｐを備え、導子対パターン３ｐ、４ｐは、それぞれの導子３１、３２及び導子４１、４２を擬似的に表した導子パターン３１ｐ、３２ｐ及び導子パターン４１ｐ、４２ｐをそれぞれ有する。また、通電表示部６は、どの導子間に電流が流れているかを表示する通電パターン部６０を有し、この通電パターン部６０には、それぞれ導子３１、３２間、導子３２、４２間、導子４１、４２間、導子３１、４１間、導子３２、４１間、導子３１、４２間の各間の電流の流れを示す矩形の通電パターン６１〜６６が各導子パターン間に対応して形成されている。また、各パターンの表示は、通電表示部６を構成するＬＥＤセグメントをパターン形状に合わせて組み合わせて点灯することにより表示される。そして、操作部１ａにおける操作により、導子３１．３２、４１、４２の中の任意の２つ導子が複数組選択されて、それら導子間に実際に低周波出力が行われると、各導子間の電流の流れと同期して、通電表示部６上に電流が流れる箇所のＬＥＤセグメントが点灯され、導子パターン部２ｐ及び通電パターン部６０が点灯表示される。
【００２４】
図４（ａ）〜（ｅ）は、各導子間に電流が流れた場合の電流の流れの表示例を示す。図４（ａ）は、導子パターン３１ｐ、３２ｐ間の通電パターン６１の液晶セグメントが点灯しており、この点灯によりユーザは、Ａ側の導子３１、３２間に電流が流れていることを視覚的に知ることができる。同様に、図４（ｂ）、（ｃ）、（ｄ）では、通電パターン６３、６６、６５が点灯しており、それぞれ導子４１、４２間、導子３１、４２間、、導子３２、４１間で通電していることを示している。また、図４（ｅ）は、通電パターン６２、６４、６５、６６が点灯されており、これはＡ側の導子３１、３２を同極性（同電位）とし、Ｂ側の導子４１、４２を同極性（同電位）として、Ａ側の導子３１（３２）とＢ側の導子４１（４２）間に低周波出力を印加した場合に、Ａ側からＢ側へ電流が流れている状態を示す。これらの各パターン表示により、使用者は通電された導子の位置と電流が流れる導子間の箇所を瞬時に知ることができる。
【００２５】
このように、本実施形態の低周波治療器１０では、表示部５に電流の流れを示す通電表示部６を備えたことにより、操作部１ａで選ばれた導子対３、４に低周波出力が印加されると、実際の導子間に流れる電流と同期して、電流が流れる導子と導子間の箇所の両方を導子パターン（３１ｐ、３２ｐ、４１ｐ、４２ｐ）及び導通パターン（６１〜６６）により表示することができる。これにより、複数の導子間において、電流の流れる導子間の箇所が視覚的に分かり易くなるので、使用者が治療効果をより実感し易くなる。特に、電流を流す対となる導子が決まった相手ではなく複数の導子を自在に切り換える場合には、どの導子間に電流が流れているかを瞬時にＬＣＤ表示から分かるので、より表示による認識効果が上がる。また、治療の設定（強さ、治療パターンなど）を変える場合にも、表示パターンを見て行えるので調整が簡単になる。なお、導子の数は４つ以外の場合（３つ、５つ、６つ、等）でも同様にパターンを形成することにより、電流の流れる箇所を表示できる。また、表示する手段は、例えばＬＥＤランプ、ＣＲＴ等のＬＣＤ以外の表示デバイスでもよく、また電流が流れる箇所の表示は点灯ではなく点滅でもよい。
【００２６】
次に、本発明の第２の実施形態に係る低周波治療器について、図５を参照して説明する。本実施形態の低周波治療器１０は、前記第１の実施形態と基本的には同じ構成を成し、表示部５の通電表示部６において、各導子間の通電パターン６１〜６６は、各導子間に流れる電流の向きを表示する点で前記実施形態と異なる。
【００２７】
図５（ａ）は、本実施形態の低周波治療器１０の構成を示し、図５（ｂ）は、同図（ａ）の表示部５における通電表示部６を示し、図５（ｃ）は、同図（ｂ）における電流の流れの表示を分解的に示したものである。この表示部５の通電表示部６は、各導子３１、３２、４１．４２間の縦・横方向における通電パターン６１〜６４に、それぞれ３つの分離パターン（例えば、通電パターン６１では６１ａ、６１ｂ、６１ｃ）が配設され、斜め方向の通電パターン６５、６６には４つの分離パターン（例えば、通電パターン６５では６５ａ、６５ｂ、６５ｃ、６５ｄ）が配設されて構成される。
【００２８】
これらの分離パターンによる電流の向きの表示は、図５（ｃ）に示すように、各分離パターンを電流の流れる方向に向かって順次に１つずつ積み重ねる形で点灯することにより示される。ここでは、導子３１から導子３２に電流が流れる場合において、最初は第１の通電表示パターン６ａに示すように、導子パターン３１ｐ側から１つ目の分離パターン６１ａのみを点灯表示し、次に第２の通電表示パターン６ｂに示すように、１つ目の分離パターン６１ａと２つ目の分離パターン６１ｂを点灯表示する。次に第３の通電表示パターン６ｃに示すように、分離パターン６１ａ、６１ｂ、６１ｃを３つとも表示する。そして、次に、第４の通電表示パターン６ｄに示すように、一旦全部の分離パターン６１ａ、６１ｂ、６１ｃの点灯を消してから、再度第１の通電表示パターン６ａに戻り、１つ目の分離パターン６１ａのみを表示する。
【００２９】
このように各分離パターン６１ａ、６１ｂ、６１ｃは、第１の通電表示パターン６ａから第４の通電表示パターン６ｄまで何回も繰り返えして点灯表示される。この繰り返し表示により、電流が上から下に流れているように見せることができるので、下向きの電流の流れを表すことができる。他の導子間に電流を流す場合も同様である。また、電流の向きが下から上に流れる場合は、分離パターン６１ａ、６１ｂ、６１ｃの点灯表示を上記と反対の順番に表示すことにより得られる。このように、通電パターン６１〜６６を複数の分離パターンで構成し、その点灯の順序を変えて連続的に点滅表示することにより、各導子３１、３２、４１、４２のそれぞれの間に流れる電流の向きを示すことができる。
【００３０】
また、図５（ｄ）は、通電表示部６における電流の向きを表す他の表示パターン例を示す。この表示パターンでは、各通電パターン６１〜６６は、それぞれ互いに平行で逆向きをなす２つの矢印パターン（それぞれ６１ｘ〜６６ｘ及び６１ｙ〜６６ｙ）を対として構成される。例えば、通電パターン６１における矢印パターン６１ｘ、６１ｙでは、電流が導子３１から導子３２に流れる場合は、紙面の下向きの矢印パターン６１ｘのみが点灯（黒塗りの矢印）され、逆に、電流が下から上向きに流れる場合は上向きの矢印パターン６１ｙのみが点灯される。これにより、電流の向きを、矢印パターンの点灯だけで簡単に表示することができ、かつ見易くできる。
【００３１】
このように、本実施形態の低周波治療器１０では、通電表示部６に導子間に流れる電流の向きを示す表示パターンとして分離パターン（６１ａ、６１ｂ、６１ｃ）又は矢印パターン（６１ｘ〜６６ｘ及び６１ｙ〜６６ｙ）を設けることにより、複数の導子間に流す電流の向きが視覚的に分かり易くなるので、導子間の電流が流れ込んでいる導子の部位を容易に知ることができる。この電流が流れ込むマイナス電圧側の治療部位では、痛みの鎮静効果があると言われており、より刺激を感じることから、電流の向きから判別される電流が流れ込む導子を治療したい部位に装着することにより、有効な治療効果が得られる。また、通電パターン部６０上の電流の向きを見ながら低周波出力の極性切換を操作して、治療効果の大きくしたい部位に電流が流れ込むように電流の向きを確実に設定することができる。
【００３２】
次に、本発明の第３の実施形態に係る低周波治療器について、図６を参照して説明する。図６（ａ）は、本実施形態における低周波治療器１０の構成を示し、図６（ｂ）は、同図（ａ）の低周波治療器１０における表示部５の通電表示部６を示す。本実施形態の低周波治療器１０は、前記第１の実施形態と基本的には同じ構成を成し、通電表示部６に表示された各導子対３と導子対パターン３ｐ、導子対４と導子対パターン４ｐとは、それぞれ色区分を用いて１対１に対応できるよう識別されている点で前記実施形態と異なる。
【００３３】
図６（ａ）において、Ａ側の導子対３の導子３１、３２のそれぞれの導子接続端子部３４a、３４ｂは、それらの成形品の色によりそれぞれ白色、赤色に色区分されており、Ｂ側の導子対４の導子４１、４２の各導子接続端子部４４a、４４ｂもそれぞれ白色、赤色に色区分されている。一方、図６（ｂ）において、図６（ａ）の導子接続端子部３４a、３４ｂ、及び導子接続端子部４４a、４４ｂのそれぞれの色分けに対応して、導子パターン３１ｐ、４１ｐのパターンの輪郭枠は白色に色付けされ、導子パターン３２ｐ、４２ｐのパターンの輪郭枠は赤色にそれぞれ色付けされている。このように、本実施形態における低周波治療器１０では、導子接続端子部３４a、３４ｂ、４４a、４４ｂと導子パターン３１ｐ、３２ｐ、４１ｐ、４２ｐの各パターンとを対応させてそれぞれを２色に色分けしたことにより、実際の導子対３、４内の各導子３１、３２、４１、４２と通電表示部６上の各導子パターン３１ｐ、３２ｐ、４１ｐ、４２ｐとの対応が目視的に確認し易くなり、各導子３１、３２、４１、４２の取り付け位置間違い等を防ぐことができる。
【００３４】
次に、上記第３の実施形態に係る低周波治療器１０の変形例を図７を参照して説明する。図７（ａ）は、本実施形態における低周波治療器１０の構成を示し、図７（ｂ）は、同図（ａ）の低周波治療器１０における表示部５の通電表示部６を示す。本変形例は、各導子を全て異なる色で色分けして識別するものである。図７（ａ）において、Ａ側の導子３１、３２の導子コード３５a、３５ｂはそれぞれ白色、赤色に色区分されており、Ｂ側の導子４１、４２の導子コード４５a、４５ｂはそれぞれ青色及び黄色に色区分されている。これらの導子コード３５a、３５ｂ及び導子コード４５a、４５ｂの各色に対応して、図７（ｂ）において、導子パターン３１ｐ、３２ｐの各パターンの輪郭枠は白色と赤色に色付けされ、導子パターン４１ｐ、４２ｐの各パターンの輪郭枠は青色及び黄色にそれぞれ色区分されている。このように、４つの導子の各導子コードの色をすべて異なるようにしたことにより、４つのいずれの導子間を組合わせても、その間に流れる電流の箇所を各導子の導子コードの色区分により確実に識別することができる。また、４つ以上に導子数を増やした場合にも同様に識別することができる。
【００３５】
次に、上記第３の実施形態に係る低周波治療器１０の他の変形例について、図８を参照して説明する。図８（ａ）は、本変形例における低周波治療器１０の構成を示し、図８（ｂ）は同図（ａ）における表示部５の通電表示部６を示す。本変形例は、各導子を数字で番号分けして識別するものである。図８（ａ）において、Ａ側の導子３１、３２は、それぞれ「１」番、「２」番と表示されており、Ｂ側の導子４１、４２はそれぞれ「３」番、「４」番と表示さている。これらの導子３１、３２及び導子４１、４２の各数字の番号に対応して、図８（ｂ）において、通電表示部６における導子パターン３１ｐ、３２ｐ、４１ｐ、４２ｐは、「１」番、「２」番、「３」番、「４」番とそれぞれ数字で区別されている。この区分は、数字だけによる識別なので、表示が極めて簡単に行え、また導子数が増大した場合でも問題なく対応できる。
【００３６】
このように、上記第３の実施形態及びこの変形例における低周波治療器１０では、色分け又は番号分けにより、実際の導子３１、３２、４１、４２と通電表示部６の導子パターン３１ｐ、３２ｐ、４１ｐ、４２ｐとをそれぞれ１対１に対応して識別できるので、治療前にどの導子をどの治療部位に貼り付けるか、治療時にどこの治療部位に電流が流れているかをより識別し易くなる。なお、導子と導子パターンを１対１に対応させる方法は上記以外でもよい。
【００３７】
次に、本発明の第４の実施形態に係る低周波治療器について、図９を参照して説明する。本実施形態の低周波治療器１０は、前記第１の実施形態と基本的には同じ構成を成し、通電表示部６において、各導子パターン及び通電パターンの表示された表示画面の背景に、人体の治療部位に対応した形状を表示したものである。
【００３８】
図９（ａ）は、通導表示部６において、各導子パターン３１ｐ、３２ｐ、４１ｐ、４２ｐ及び通電パターン６１〜６６の表示の背景に人体の治療部位の全身を拡大した全身パターン５０を表示した図であり、図９（ｂ）〜（ｈ）は、通導表示部６における各導子パターン３１ｐ、３２ｐ、４１ｐ、４２ｐ及び通電パターン６１〜６６の背景に、治療部位として、それぞれ首筋５１、肩５２、背中５３、腰５４、膝５５、ふくらはぎ５６及び足裏５７の各形状の拡大パターンを表示した図である。これらの治療部位の各パターンは、表示部５に必要な線表示のＬＣＤエレメントを配設して点灯表示することにより行われる。
【００３９】
これら図９（ａ）〜（ｈ）に示すように、これらの表示により、全身部位及び拡大された治療部位と同時に、電流の流れを示す各導子パターン及び通電パターンを見ることができる。ここで、図９（ｈ）では、足裏の場合のみ導子パターン及び通電パターンの表示を他の部位の場合と分けて表示しているが、これは足裏の形状をより分かり易くするためである。従って、この足裏の表示方法を変えることにより、この導子パターン及び通電パターンを他の部位の各パターンと共通の表示にすることもできる。
【００４０】
このように、本実施形態における低周波治療器１０によれば、通電表示部６において治療部位と電流の流れ表示とを同時に見ることができるので、選択している人体の治療部位の位置をより分かり易くでき、また治療部位の拡大表示により実際に治療している部位に近い内容を視覚的により詳細に知ることができる。また、治療部位と電流の流れの表示とを同一画面に表示して、電流の流れを表示するＬＣＤセグメントを治療部位の表示と兼用したことにより、表示部６における限られた表示画面において、治療部位のできるだけ大きい画面表示が可能となる。すなわち、表示部５において、表示面積を大きくせず電流のパターンと治療部位の２つの画面を表示する場合には、両者の画像を縮小する必要があるが、上述の両者の兼用表示により、縮小せずに治療部位の拡大表示が可能になる。なお、治療部位に対応した形状の拡大表示方法及び表示する部位は、上記以外の方法や部位でもよい。
【００４１】
次に、本発明の第５の実施形態に係る低周波治療器について、図１０を参照して説明する。本実施形態の低周波治療器１０は、前記第４の実施形態と基本的には同じ構成を成し、表示部５の通電表示部６において、各導子パターン及び通電パターンの表示された表示画面の背景に人体の治療部位に対応した形状を表示すると共に、全身表示部７において人体の全身表示と治療部位を表示したものである。図１０（ａ）〜（ｈ）において、紙面の右側の通導表示部６は、前記第４の実施形態の通電表示部６と同じ表示であり、左側の全身表示部７は人体の全身の形状とその中の治療部位の導子対３、４の位置を導子対パターン３ｐ、４ｐで表示している。
【００４２】
図１０（ａ）において、全身表示部７は、人体の全身とその中の全ての治療部位の位置を導子対パターン３ｐ、４ｐで表示し、通導表示部６は、各導子対パターン３ｐ、４ｐ及び通電パターン部６０の表示の背景に人体の治療部位の全身パターン５０を示す。また、図１０（ｂ）〜（ｈ）において、通導表示部６は、背景にそれぞれ首筋５１、肩５２、背中５３、腰５４、膝５５、ふくらはぎ５６及び足裏５７の各治療部位の拡大の形状を表示し、全身表示部７は、これに対応する全身の中の各治療部位を表示している。例えば、図１０（ｂ）に示すように、操作部１ａで首筋５１を選択した時は、左側の全身表示部７において、全身の中の首筋に導子対３、４を貼り付けた状態を表す導子対パターン３ｐ、４ｐが点灯し、これに対応して同時に右側の通電表示部６における導子対パターン３ｐ、４ｐ、電流の流れを示す通電パターン部６０、及び首筋５１の拡大表示が点灯する。他の部位の場合も同様の表示を行う。すなわち、全身表示部７による人体の全身表示における治療部位と対応する相関をもって、通電表示部６に拡大の治療部位を表示する。
【００４３】
このように、本実施形態における低周波治療器１０によれば、全身表示における治療部位表示と拡大表示の治療部位表示の両方を同時に見ることができるので、全身表示と拡大表示とを相関をもって対応させることができ、対象とする実際の治療位置を視覚的により分かり易くすることができる。
【００４４】
次に、本発明の第６の実施形態に係る低周波治療器について、図１１を参照して説明する。本実施形態の低周波治療器１０は、前記第５の実施形態と基本的には同じ構成を成し、表示部５において、治療開始前には少なくとも全身パターンとその中の治療部位を表示し、治療開始後には電流の流れを表示するものである。図１１（ａ）は、本実施形態の低周波治療器１０の構成を示し、また電源オン後の状態の操作部１ａの操作ナビ表示部９の状態を示す。図１１（ｂ）は、電源オン後に治療部位として首筋を選択した場合の操作部１ａの操作ナビ表示部９及び全身表示部７の状態を示す。また、図１１（ｃ）、（ｄ）は、低周波出力前後における通電表示部６と全身表示部７の表示状態を示す。また、各通電表示部６は、通電時に出力強さを示す出力強さ設定表示部６７、治療の残り時間を示す治療残分表示部６８等を有している。
【００４５】
図１１（ａ）において、本実施形態の低周波治療器１０は、電源オン後に、まず、操作部１ａで電源をオンにすると、操作ナビ表示部９よりコース選択を促す『コースを選択（自動／お好み）』を表示する文字表示部９ａ（矩形の太い点線で囲んだ部分）のＬＥＤが点滅する。そして、いずれかのコースを選択すると、図１１（ｂ）に示すように、次に『パッドを貼ってから治療開始を押す』を示す文字表示部９ｂ（矩形の太い点線で囲んだ部分）のＬＥＤが点滅し、図１１（ｂ）、（ｃ）に示すように、液晶ディスプレイの表示部５の全身表示部７において、全身画面の中に自動コースで選択された治療部位（ここでは、首筋（首・肩コース））に対応する導子対パターン３ｐ（３１ｐ、３２ｐ）、４ｐ（４１ｐ、４２ｐ）（円形の点線で囲んだ部分）が点滅表示される。次に、導子対３、４の導子３１、３２、４１、４２を身体の貼った後、「治療開始」スイッチ２０を押すと、人体検知回路１４は導子対３、４が貼られているかどうかの人体検知チェックを行う。人体検知が確認された後、図１１（ｄ）に示すように、導子対３、４への低周波出力を開始し、液晶画面の全身表示部７の全身表示部位が点滅から点灯に変わり、また、通電表示部６の治療部位の拡大表示、導子パターン部２ｐ（３ｐ、４ｐ）及び電流の流れの通電パターン部６０が点灯表示される。また、出力強さ設定表示部６７で扇型パターンの大きさにより出力の強さが表示され、治療残分表示部６８において残りの治療時間の表示が行われる。なお、表示内容は上記以外の内容でもよい。
【００４６】
このように、本実施形態における低周波治療器１０によれば、表示部５は、低周波出力前には、少なくとも全身表示部７において全身表示とその中の治療部位とを表示し、低周波出力後には、通電表示部６において各導子パターン部２ｐと各通電パターン部６０により電流の流れ表示を行う。これにより、治療開始前に選択した治療部位を視覚的に認識でき、導子部２の各貼り付け位置をより明確にできる。また、治療開始後に電流の流れを表示することにより、実際に治療を開始したことを視覚的に認識できる。
【００４７】
上述した各実施形態に係る低周波治療器１０及びそれらの変形例によれば、複数の導子３１、３２、４１、４２を有し、各導子間に流れる電流の通電状態を表示する表示部５を備え、この表示部５に各導子３１、３２、４１、４２を擬似的に示す導子パターン３１ｐ、３２ｐ、４１ｐ、４２ｐと、実際に電流の流れている導子間の箇所を示す通電パターン６１〜６６との両方を表示するので、電流の流れる導子間箇所を視覚的に分かり易くでき、使用者が治療効果をより実感し易くなる。また、特に、電流を流す対となる導子対３、４が決まった相手ではなく、それらの複数の導子３１、３２、４１、４２を自在に切り換える場合においては、各導子パターン及び通電パターンにより、どの導子間に電流が流れているかを各表示パターンで認識できるので、使用者の電流の流れに対する認識効果をより向上することができる。
【００４８】
なお、本発明は、上記実施形態等に限られるものでなく、さらに適宜に変更することができる。例えば、本実施形態では、導子が４つの場合を示したが、４つ以外の複数の場合も同様に行うことができる。また、本実施形態では、表示部を全体表示部と通電表示部の２つに分けている場合を説明したが、これらを一体の面積の広い表示デバイスとして用いて、電子的に画面分割又は画面統合して各種パターン、データ等を表示することもできる。これにより、全体画面における表示パターン等をさらに拡大表示することにより、より視覚的に見易くできる。
【図面の簡単な説明】
【００４９】
【図１】本発明の第１の実施形態に係る低周波治療器の外観図。
【図２】上記低周波治療器の電気ブロック構成図。
【図３】上記低周波治療器の表示部の拡大図。
【図４】（ａ）〜（ｅ）は上記表示部による各導子間に流れる電流箇所を表示する図。
【図５】（ａ）は、本発明の第２の実施形態に係る低周波治療器の外観図、（ｂ）は上記低周波治療器の表示部を説明する図、（ｃ）は（ｂ）における電流の向きの表示を説明する図、（ｄ）は（ａ）の表示部において電流の向きを示す他の表示パターンを説明する図。
【図６】（ａ）は本発明の第３の実施形態に係る低周波治療器の外観図、（ｂ）は（ａ）における表示部の構成図。
【図７】（ａ）は上記第３の実施形態の変形例の外観図、（ｂ）は（ａ）の表示部の構成図。
【図８】（ａ）は上記第３の実施形態の他の変形例の外観図、（ｂ）は（ａ）の表示部の構成図。
【図９】（ａ）は本発明の第４の実施形態に係る低周波治療器の表示部の構成図、（ｂ）〜（ｈ）は（ａ）の表示部における各治療部位の拡大と電流の向きを示す図。
【図１０】（ａ）は本発明の第５の実施形態に係る低周波治療器の表示部の構成図、（ｂ）〜（ｈ）はそれぞれ（ａ）の表示部における各治療部位の拡大と電流の向きを示す図。
【図１１】（ａ）は本発明の第６の実施形態に係る低周波治療器の外観図、（ｂ）は（ａ）の低周波治療器における首筋コース選択の場合の操作部の表示を説明する図、（ｃ）は（ｂ）における低周波出力前の表示部の拡大図、（ｄ）は（ｂ）における低周波出力後の表示部の拡大図。
【符号の説明】
【００５０】
１  本体
２  導子部（導子）
２ｐ  導子パターン部（導子パターン）
３  導子対（Ａ側）（導子）
３ｐ  導子対パターン（導子パターン）
４  導子対（Ｂ側）（導子）
４ｐ  導子対パターン（導子パターン）
５  表示部
６  通電表示部（表示部）
７  全身表示部（表示部）
１０  低周波治療器
１３  極性切換回路（電圧印加手段）
３１、３２  導子
４１、４２  導子
６０  通電パターン部（通電パターン）
６１〜６６  通電パターン
【図２】
2007313102.tif 000003
【図３】
2007313102.tif 000004
【図４】
2007313102.tif 000005
【図１】
2007313102.tif 000006
【図５】
2007313102.tif 000007
【図６】
2007313102.tif 000008
【図７】
2007313102.tif 000009
【図８】
2007313102.tif 000010
【図９】
2007313102.tif 000011
【図１０】
2007313102.tif 000012
【図１１】
2007313102.tif 000013